(57)【要約】【課題】読取装置本体の原稿台に対する位置決めと収容部材からの脱落防止とが簡易な構成で実現できる画像読取装置を得る。【解決手段】原稿台に載せられた原稿を読み取る読取装置本体５０と、読取装置本体５０を収容し、原稿を読み取るときに、原稿の一端部から他端部へ移動する収容部材３０と、読取装置本体５０に取り付けられ、原稿台に接することで読取装置本体５０の高さ方向の位置決めをする凸部６６と、収容部材３０に形成された被係合部４４に高さ方向で係合する係合部７０と、を有する位置決め部材６０と、を備えた画像読取装置１０とする。【選択図】図４
2015156527.tif 000002
【特許請求の範囲】
【請求項１】
原稿台に載せられた原稿を読み取る読取装置本体と、
前記読取装置本体を収容し、前記原稿を読み取るときに、前記原稿の一端部から他端部へ移動する収容部材と、
前記読取装置本体に取り付けられ、前記原稿台に接することで前記読取装置本体の高さ方向の位置決めをする凸部と、前記収容部材に形成された被係合部に前記高さ方向で係合する係合部と、を有する位置決め部材と、
を備えた画像読取装置。
【請求項２】
前記読取装置本体は、前記係合部に隣接した位置に突起部を有し、
前記収容部材は、前記読取装置本体が収容されるときに、前記係合部と前記突起部とを案内する案内部を有する請求項１に記載の画像読取装置。
【請求項３】
前記係合部の下端部は、前記読取装置本体よりも下方へ向けて突出されている請求項１又は請求項２に記載の画像読取装置。
【請求項４】
前記読取装置本体の下面両端部と前記収容部材の底面両端部との間には、付勢部材が設けられており、
前記読取装置本体の長手方向から見て、前記係合部は、前記付勢部材と重なる位置に配置されている請求項１〜請求項３の何れか１項に記載の画像読取装置。
【請求項５】
前記読取装置本体の下面両端部と前記収容部材の底面両端部との間には、付勢部材が設けられており、
前記収容部材の移動方向から見て、前記凸部は、前記付勢部材の直上に配置されている請求項１〜請求項４の何れか１項に記載の画像読取装置。
【請求項６】
前記収容部材は、上方が開放された被挿入部を有し、
前記読取装置本体は、前記収容部材に収容されるときに、前記被挿入部に挿入される挿入部を有する請求項１〜請求項５の何れか１項に記載の画像読取装置。
【請求項７】
前記位置決め部材は、一対の脚部を有し、該脚部に形成された係止部が、前記係合部から前記読取装置本体の長手方向中央部側へ離れた位置に形成された被係止部に係止されることで、前記読取装置本体に取り付けられている請求項１〜請求項６の何れか１項に記載の画像読取装置。
【請求項８】
前記係合部に爪部が形成されるとともに該爪部の上面が斜め上方外側へ向かって傾斜する傾斜面とされ、
前記爪部の上面と対向する前記被係合部の下面も斜め上方外側へ向かって傾斜する傾斜面とされている請求項１〜請求項７の何れか１項に記載の画像読取装置。
【発明の詳細な説明】
【技術分野】
【０００１】
本発明は、画像読取装置に関する。
【背景技術】
【０００２】
コンタクトイメージセンサーユニット（ＣＩＳユニット）が、キャリッジハウジングに収容されてなる画像読取装置は、従来から知られている（例えば、特許文献１参照）。また、原稿台（ガラス板）に接触し、原稿台とＣＩＳユニットとの間隔を一定に保持するスペーサーを備えた画像読取装置も、従来から知られている（例えば、特許文献２参照）。
【先行技術文献】
【特許文献】
【０００３】
【特許文献１】特開２００７−１３３０９号公報
【特許文献２】特開２０１０−２２０２１号公報
【発明の概要】
【発明が解決しようとする課題】
【０００４】
本発明は、読取装置本体の原稿台に対する位置決めと収容部材からの脱落防止とが簡易な構成で実現できる画像読取装置を得ることを目的とする。
【課題を解決するための手段】
【０００５】
上記の目的を達成するために、本発明に係る請求項１に記載の画像読取装置は、原稿台に載せられた原稿を読み取る読取装置本体と、前記読取装置本体を収容し、前記原稿を読み取るときに、前記原稿の一端部から他端部へ移動する収容部材と、前記読取装置本体に取り付けられ、前記原稿台に接することで前記読取装置本体の高さ方向の位置決めをする凸部と、前記収容部材に形成された被係合部に前記高さ方向で係合する係合部と、を有する位置決め部材と、を備えている。
【０００６】
また、請求項２に記載の画像読取装置は、請求項１に記載の画像読取装置であって、前記読取装置本体は、前記係合部に隣接した位置に突起部を有し、前記収容部材は、前記読取装置本体が収容されるときに、前記係合部と前記突起部とを案内する案内部を有している。
【０００７】
また、請求項３に記載の画像読取装置は、請求項１又は請求項２に記載の画像読取装置であって、前記係合部の下端部は、前記読取装置本体よりも下方へ向けて突出されている。
【０００８】
また、請求項４に記載の画像読取装置は、請求項１〜請求項３の何れか１項に記載の画像読取装置であって、前記読取装置本体の下面両端部と前記収容部材の底面両端部との間には、付勢部材が設けられており、前記読取装置本体の長手方向から見て、前記係合部は、前記付勢部材と重なる位置に配置されている。
【０００９】
また、請求項５に記載の画像読取装置は、請求項１〜請求項４の何れか１項に記載の画像読取装置であって、前記読取装置本体の下面両端部と前記収容部材の底面両端部との間には、付勢部材が設けられており、前記収容部材の移動方向から見て、前記凸部は、前記付勢部材の直上に配置されている。
【００１０】
また、請求項６に記載の画像読取装置は、請求項１〜請求項５の何れか１項に記載の画像読取装置であって、前記収容部材は、上方が開放された被挿入部を有し、前記読取装置本体は、前記収容部材に収容されるときに、前記被挿入部に挿入される挿入部を有している。
【００１１】
また、請求項７に記載の画像読取装置は、請求項１〜請求項６の何れか１項に記載の画像読取装置であって、前記位置決め部材は、一対の脚部を有し、該脚部に形成された係止部が、前記係合部から前記読取装置本体の長手方向中央部側へ離れた位置に形成された被係止部に係止されることで、前記読取装置本体に取り付けられている。
【００１２】
また、請求項８に記載の画像読取装置は、請求項１〜請求項７の何れか１項に記載の画像読取装置であって、前記係合部に爪部が形成されるとともに該爪部の上面が斜め上方外側へ向かって傾斜する傾斜面とされ、前記爪部の上面と対向する前記被係合部の下面も斜め上方外側へ向かって傾斜する傾斜面とされている。
【発明の効果】
【００１３】
請求項１に記載の発明によれば、凸部が原稿台に接することで読取装置本体の高さ方向の位置決めをする位置決め部材が、収容部材に形成された被係合部に読取装置本体の高さ方向で係合する係合部を有していない構成に比べて、読取装置本体の原稿台に対する位置決めと収容部材からの脱落防止とを簡易な構成で実現することができる。
【００１４】
請求項２に記載の発明によれば、収容部材に読取装置本体が収容されるときに、収容部材が、係合部と突起部とを案内する案内部を有していない構成に比べて、読取装置本体が収容部材に収容されるときの案内性を向上させることができる。
【００１５】
請求項３に記載の発明によれば、係合部の下端部が、読取装置本体よりも下方へ向けて突出されていない構成に比べて、読取装置本体が収容部材に収容されるときの案内性を向上させることができる。
【００１６】
請求項４に記載の発明によれば、読取装置本体の長手方向から見て、係合部が、付勢部材と重なる位置に配置されていない構成に比べて、付勢部材を含む読取装置本体が収容部材に収容されるときの案内性を向上させることができる。
【００１７】
請求項５に記載の発明によれば、収容部材の移動方向から見て、凸部が、付勢部材の直上に配置されていない構成に比べて、読取装置本体の原稿台に対する位置決めが精度よくできる。
【００１８】
請求項６に記載の発明によれば、収容部材に読取装置本体が収容されるときに、読取装置本体が、収容部材に形成された被挿入部に挿入される挿入部を有していない構成に比べて、読取装置本体の収容部材に対する位置決めが精度よくできる。
【００１９】
請求項７に記載の発明によれば、位置決め部材の脚部に形成された係止部が、係合部に近接した位置に形成されている構成に比べて、位置決め部材が読取装置本体から外れ難くすることができる。
【００２０】
請求項８に記載の発明によれば、係合部に形成された爪部の上面が、斜め上方外側へ向かって傾斜する傾斜面とされず、爪部の上面と対向する被係合部の下面も、斜め上方外側へ向かって傾斜する傾斜面とされていない構成に比べて、位置決め部材が読取装置本体から外れ難くすることができる。
【図面の簡単な説明】
【００２１】
【図１】画像読取装置を示す斜視図である。
【図２】画像読取装置の内部を示す斜視図である。
【図３】画像読取装置の内部を一部省略して拡大して示す側面図である。
【図４】収容部材に収容された読取装置本体を示す斜視図である。
【図５】収容部材に収容された読取装置本体を一部省略して拡大して示す側面図である。
【図６】収容部材に読取装置本体を組み付ける工程を一部拡大して示す斜視図である。
【図７】収容部材に収容された読取装置本体を示す正面図である。
【図８】スペーサーの斜視図である。
【図９】収容部材の一部を拡大して示す斜視図である。
【発明を実施するための形態】
【００２２】
以下、本発明に係る実施の形態について図面を基に詳細に説明する。なお、各図において、矢印ＵＰを画像読取装置１０の上方向とし、矢印ＦＲを画像読取装置１０の前方向とする。そして、矢印ＲＩを画像読取装置１０の右方向とし、原稿台１４に載せられた原稿を読取装置本体５０が読み取るときの主走査方向（収容部材３０の移動方向）とする。また、原稿台１４に載せられる原稿は、左右方向が長手方向とされる。
【００２３】
図１に示されるように、画像読取装置１０は、筐体１２の上部側に、原稿が載せられる原稿台１４を有している。原稿台１４は、左右方向が長手方向となる長方形状（矩形状）に形成された透明なガラス板であり、カバー体１６によって開閉されるようになっている。このカバー体１６は、原稿台１４よりも一回り大きい長方形状（矩形状）に形成されており、筐体１２の後部側に左右一対で設けられたヒンジ部１５によって上下方向に開閉可能に構成されている。
【００２４】
図２に示されるように、筐体１２の内部（原稿台１４の下方）には、原稿台１４に載せられた原稿を読み取る読取装置本体（ＣＩＳユニット）５０が設けられている。読取装置本体５０は、原稿の短手方向（原稿の長手方向と直交する方向）の長さ以上の長さとされ、主走査方向（原稿の長手方向一端部から他端部へ）へ移動しつつ原稿を読み取るようになっている。そして、筐体１２の内部（原稿台１４の下方）には、読取装置本体５０（後述する収容部材３０）を主走査方向へ移動させる移動機構２０が設けられている。
【００２５】
詳細に説明すると、移動機構２０は、筐体１２内の前後方向略中央部に左右方向（主走査方向）を軸方向として設けられた円柱状のシャフト２２を有している。このシャフト２２は、左右の両端部が、筐体１２内の左右両端部に一体に形成された支持部１８に固定されており、読取装置本体５０が収容される収容部材（キャリッジハウジング）３０を主走査方向（右方向）と、それとは逆の復帰方向（左方向）へ移動可能に支持している。
【００２６】
また、移動機構２０は、筐体１２内の右端部（シャフト２２の軸方向一端部）側に設けられたタイミングプーリ２４と、筐体１２内の左端部（シャフト２２の軸方向他端部）側に設けられたタイミングプーリ２６と、タイミングプーリ２４とタイミングプーリ２６とに、内周面に形成された噛合歯２８Ａを噛み合わせるようにして巻き掛けられたタイミングベルト２８と、一方（例えば右側）のタイミングプーリ２４と同軸的に設けられ、そのタイミングプーリ２４を正逆両方向に回転駆動させる駆動モーター（図示省略）と、を有している。
【００２７】
したがって、駆動モーターの駆動により、タイミングプーリ２４が正逆両方向へ回転することで、タイミングベルト２８の前後一方側が主走査方向へ移動し、前後他方側が復帰方向へ移動するようになっている。つまり、タイミングベルト２８の前後一方側と前後他方側とは、互いに同期して反対方向に移動するようになっている。そして、図３に示されるように、収容部材３０は、例えば前側のタイミングベルト２８に取り付けられている。
【００２８】
詳細に説明すると、収容部材３０は、前後方向（平面視で主走査方向と直交する方向）が長手方向とされた（原稿の短手方向の長さ以上の長さとされた）筐体であり、寸法精度を確保するとともに温度による変形を抑制するために、ガラス入りの樹脂材（例えばガラス入難燃変性ＰＰＥ（ポリフェニレンエーテル）成形材料）で成形されている。そして、図２〜図５に示されるように、収容部材３０の底壁３２の下面側における長手方向略中央部には、シャフト２２に支持されるガイド部材３４が取り付けられている。
【００２９】
図３、図５に示されるように、ガイド部材３４は、主走査方向の下流側端部及び上流側端部に、それぞれ主走査方向から見て、略逆「Ｕ」字状となる凹溝部３６を有しており、各凹溝部３６がシャフト２２の外周面に上方から載せられることで、収容部材３０の長手方向略中央部がシャフト２２に支持されている。なお、収容部材３０の長手方向両端部は、図２に示されるように、筐体１２に一体に形成された支持台１７に移動可能に支持されている。
【００３０】
また、図３、図５に示されるように、ガイド部材３４に隣接する底壁３２の下面側における長手方向略中央部（ガイド部材３４の後側）には、タイミングベルト２８の噛合歯２８Ａと噛合させる噛合部３８が一体に形成されている。この噛合部３８は、矩形ブロック状に形成されており、その下端中央部には、タイミングベルト２８の厚さ以上の間隙が形成されている。そして、噛合部３８の間隙内における一方（本実施形態では後側）の内面には、噛合歯３８Ａが形成されている。
【００３１】
したがって、図３に示されるように、噛合部３８の間隙内にタイミングベルト２８の前側が挿入され、その前側の噛合歯２８Ａが噛合歯３８Ａに噛み合うことにより、収容部材３０が噛合部３８を介してタイミングベルト２８に、その周回方向で固定されるようになっている。これにより、タイミングベルト２８の移動に伴い、収容部材３０がシャフト２２及び支持台１７に支持されつつ主走査方向及び復帰方向へ移動するようになっている。
【００３２】
なお、図２に示されるように、タイミングベルト２８よりも後側の筐体１２内には、読取装置本体５０で読み取った画像データを送るためのフレキシブルケーブル４０が配設されており、そのフレキシブルケーブル４０の一端部４０Ａは、読取装置本体５０に接続されている。そして、このフレキシブルケーブル４０は、読取装置本体５０を収容した収容部材３０の移動に追従可能になっている。
【００３３】
図４に示されるように、読取装置本体５０は、前後方向（平面視で主走査方向と直交する方向）が長手方向とされた（原稿の短手方向の長さ以上の長さとされた）長尺状に形成されており、寸法精度を確保するとともに温度による変形を抑制するために、ガラス入りの樹脂材（例えばガラス入難燃変性ＰＰＥ（ポリフェニレンエーテル）成形材料）で成形されている。そして、読取装置本体５０の上部で、かつ幅方向（左右方向、主走査方向）中央部には、読取装置本体５０の長手方向に沿った（長手方向に延在する）読取部５２が設けられている。
【００３４】
また、図６に示されるように、この読取装置本体５０は、収容部材３０内に上方から挿入されて収容されるようになっている。なお、読取装置本体５０の前壁５０Ａ及び後壁５０Ｂ（図５参照）にそれぞれ設けられる、後述する挿入部５４や突起部５６は、前後対称に形成されている。同様に、収容部材３０の前壁３０Ａ及び後壁３０Ｂ（図５参照）にそれぞれ設けられる、後述する切欠部４２やリブ４６（図９参照）も、前後対称に形成されている。
【００３５】
詳細に説明すると、図６に示されるように、読取装置本体５０の前壁５０Ａ及び後壁５０Ｂ（図５参照）には、それぞれ読取装置本体５０の長手方向へ突出する凸状（角柱状）の挿入部５４が一体に、かつ主走査方向で同一位置に形成されている。なお、図４に示されるように、読取装置本体５０の右側壁５０Ｃにおける長手方向一端部側（例えば後側）には、主走査方向（右方向）へ突出する凸状（角柱状）の挿入部５５が一体に形成されている。
【００３６】
一方、収容部材３０の前壁３０Ａ及び後壁３０Ｂ（図５参照）には、上方側が開放された被挿入部の一例としての切欠部４２が主走査方向で同一位置に形成されている。そして、図４に示されるように、収容部材３０の右側壁３０Ｃにおける長手方向一端部側（例えば後側）には、上方側が開放された被挿入部の一例としての切欠部４３が形成されている。
【００３７】
ここで、各切欠部４２、４３の幅は、それぞれ各挿入部５４、５５の幅と同じか、それよりも若干大きく形成されている。したがって、読取装置本体５０が、収容部材３０に収容されるときには、各挿入部５４、５５が、各切欠部４２、４３にほぼ隙間なく挿入される構成になっている（図７参照）。
【００３８】
また、図６、図７、図９に示されるように、収容部材３０の前壁３０Ａ及び後壁３０Ｂ（図５参照）の左右方向略中央下部には、後述する係合部７０が高さ方向（上下方向）で係合可能となる被係合部の一例としての開口部４４が形成されている。この開口部４４は、高さ方向が長手方向とされた矩形状に形成されており、底壁３２の長手方向両端部で、かつ左右方向略中央部の一部も切り欠かれて形成されている。
【００３９】
そして、図９に示されるように、開口部４４よりも、収容部材３０の長手方向内側における底壁３２の上面（底面）両端部で、かつ左右方向略中央部には、後述するコイルスプリング４８の下端部が嵌められるボス部３３が一体に突設されている。このボス部３３は、平面視十字状に形成されており、読取装置本体５０が収容部材３０に収容されたときに、コイルスプリング４８の環状に形成された下端部内に挿入されるようになっている。
【００４０】
また、読取装置本体５０の長手方向両端部には、位置決め部材の一例としてのスペーサー６０がそれぞれ装着されている。図４、図６〜図８に示されるように、各スペーサー６０は、読取装置本体５０の長手方向（前後方向）から見て略逆「Ｕ」字状に形成されており、その一対の脚部６２は、主走査方向（左右方向）から見て、読取装置本体５０の前壁５０Ａ及び後壁５０Ｂ（後述する係合部７０）から長手方向中央部側へ離れるように屈曲されている。
【００４１】
そして、一対の脚部６２の下端部には、係止部の一例としての爪部６３がそれぞれ形成されている。なお、図５、図６に示されるように、読取装置本体５０の左側壁５０Ｄ（図７参照）及び右側壁５０Ｃにおける下端部には、爪部６３が係止される被係止部の一例としての切欠部５３がそれぞれ形成されている。
【００４２】
また、一対の脚部６２の上端部は、読取装置本体５０の幅方向（左右方向、主走査方向）が長手方向とされた矩形平板状の連結部６４によって一体に連結されている。そして、連結部６４の下面には、読取装置本体５０の上部の長手方向両端部に形成されたボス穴５８に挿入される円柱状のボス部６８が、読取装置本体５０の幅方向（左右方向、主走査方向）に予め決められた間隔を隔てて一体に突設されている。
【００４３】
したがって、図５に示されるように、前後一対として設けられるスペーサー６０は、各ボス穴５８に各ボス部６８が挿入され、一対の脚部６２の下端部に形成された各爪部６３が、読取装置本体５０に形成された各切欠部５３に係止されることにより、読取装置本体５０の長手方向両端部にそれぞれ取り付けられるようになっている。
【００４４】
また、図７、図８に示されるように、連結部６４の上面には、読取装置本体５０の長手方向（前後方向）から見て略半円形状となる（略半円板状の）凸部６６が、読取装置本体５０の幅方向（左右方向、主走査方向）に予め決められた間隔を隔てて一体に突設されている（ボス部６８の表裏反対側に凸部６６が形成されている）。
【００４５】
そして、図３に示されるように、この一対の凸部６６が、予め決められた圧力（後述するコイルスプリング４８の付勢力）で原稿台１４の裏面に主走査方向及び復帰方向へ摺動可能に接触するようになっている。したがって、スペーサー６０は、原稿台１４との摺動性が良好な樹脂材の一例であるポリアセタール（ＰＯＭ）で成形されている。
【００４６】
また、図４〜図８に示されるように、このスペーサー６０の連結部６４における一方（読取装置本体５０の長手方向外側）の辺縁部の左右方向中央部には、下方へ向かって延在する係合部７０が一体に形成されている。この係合部７０は、読取装置本体５０の前壁５０Ａ及び後壁５０Ｂにそれぞれ対向配置されており、その高さは、読取装置本体５０の高さよりも高くされている。
【００４７】
つまり、係合部７０の下端部は、読取装置本体５０の下面よりも下方側へ向けて突出されている。そして、読取装置本体５０の下面よりも下方側へ向けて突出されている係合部７０の下端部が前後方向へ弾性変形可能なように、係合部７０の中途部から下側の板厚が上側の板厚よりも薄く形成されている。この係合部７０の下端部（後述する爪部７２）が収容部材３０の開口部４４に高さ方向で係合可能になっている。
【００４８】
詳細に説明すると、係合部７０の下端部には、読取装置本体５０の長手方向外側へ向かって突出する爪部７２が形成されており、その爪部７２の上面７２Ａは、斜め上方外側へ向かって傾斜する傾斜面とされている。一方、その爪部７２の上面７２Ａと対向する開口部４４の上側辺縁部における下面４４Ａも、斜め上方外側へ向かって傾斜する傾斜面とされている（図５参照）。これにより、スペーサー６０が前後方向（読取装置本体５０の長手方向）に傾いても、開口部４４から爪部７２が外れ難くなる構成になっている。
【００４９】
また、図６に示されるように、読取装置本体５０の前壁５０Ａ及び後壁５０Ｂにおいて、挿入部５４とは係合部７０を挟んで反対側で、かつ係合部７０に隣接する位置には、突起部５６が形成されている。つまり、係合部７０と突起部５６との間には、僅少な隙間Ｓが形成されている。
【００５０】
そして、図９に示されるように、収容部材３０の前壁３０Ａ及び後壁３０Ｂの内面で、開口部４４に隣接する位置には、案内部の一例としての薄板状のリブ４６が高さ方向に沿って形成されている。このリブ４６の板厚は、隙間Ｓの幅と同じか、それよりも若干小さく形成されている。
【００５１】
したがって、読取装置本体５０が収容部材３０に収容されるときには、係合部７０と突起部５６との間の隙間Ｓにリブ４６が挿入されるようになっており、読取装置本体５０は、係合部７０と突起部５６とがリブ４６に案内されつつ収容部材３０に収容されるようになっている。
【００５２】
また、図５、図６に示されるように、読取装置本体５０の下面両端部と収容部材３０の底壁３２の上面（底面）両端部との間には、付勢部材の一例としてのコイルスプリング４８が設けられている。詳細に説明すると、前後一対として設けられるコイルスプリング４８は、上端部が、読取装置本体５０の下面両端部に取り付けられており、読取装置本体５０が収容部材３０に収容されたときに、下端部が、収容部材３０の底壁３２の上面（底面）両端部に突設されたボス部３３に嵌められるようになっている。
【００５３】
なお、図７に示されるように、読取装置本体５０の長手方向から見て、各コイルスプリング４８は、各係合部７０の下端部と重なる位置（望ましくは同一位置）に配置されている。つまり、各係合部７０は、各コイルスプリング４８に対して、それぞれ近接した位置に配置されている。また、図５に示されるように、各コイルスプリング４８は、主走査方向から見て、各凸部６６の直下に配置されている。換言すれば、主走査方向から見て、各凸部６６は、各コイルスプリング４８の直上に配置されている。
【００５４】
以上のような構成のスペーサー６０を備えた画像読取装置１０において、次にその作用（読取装置本体５０の収容部材３０への組み付け方法）について説明する。
【００５５】
まず、前後一対として設けられるコイルスプリング４８の各上端部を読取装置本体５０の下面両端部にそれぞれ取り付ける。そして、読取装置本体５０の長手方向両端部に、前後一対として設けられるスペーサー６０をそれぞれ装着する。すなわち、各スペーサー６０のボス部６８を読取装置本体５０のボス穴５８に挿入し、脚部６２における爪部６３を読取装置本体５０の切欠部５３に係止する。
【００５６】
ここで、読取装置本体５０の切欠部５３は、それぞれ前壁５０Ａ及び後壁５０Ｂから離れた位置に形成されている。そして、スペーサー６０の脚部６２における爪部６３は、係合部７０から離れた位置に形成されている。したがって、読取装置本体５０を収容部材３０内に挿入した際など、係合部７０を上方へ押し上げるような力が相対的に加わっても、切欠部５３に係止されている爪部６３によって係合部７０の傾きを抑えられるので、切欠部５３から爪部６３が外れるのが抑制又は防止される。
【００５７】
コイルスプリング４８及びスペーサー６０を読取装置本体５０に取り付けたら、読取装置本体５０を収容部材３０に収容する。すなわち、収容部材３０の前壁３０Ａ及び後壁３０Ｂにより、各スペーサー６０の係合部７０（爪部７２）をそれぞれ読取装置本体５０の前壁５０Ａ側及び後壁５０Ｂ側へ向かって弾性変形させつつ、かつ読取装置本体５０の突起部５６と係合部７０との間の隙間Ｓに、収容部材３０のリブ４６を挿入させつつ、読取装置本体５０を収容部材３０内に上方から挿入する。
【００５８】
ここで、係合部７０の下端部（爪部７２）は、読取装置本体５０の下面よりも下方側へ向けて突出されている。したがって、読取装置本体５０が収容部材３０内へ挿入されるのに伴い、係合部７０の下端部（爪部７２）が早期に（突起部５６よりも先に）リブ４６に案内されるので、読取装置本体５０が収容部材３０内に挿入されるときの案内性が向上される。
【００５９】
そして、読取装置本体５０は、係合部７０及び突起部５６がリブ４６に案内されることにより、更に案内性が向上され、収容部材３０の底壁３２に対して垂直に挿入される。また、読取装置本体５０の長手方向から見て、係合部７０の下端部は、コイルスプリング４８と重なる位置（望ましくは同一位置）に配置されている。
【００６０】
つまり、係合部７０は、コイルスプリング４８に近接して配置されている。したがって、読取装置本体５０が収容部材３０内に挿入される際、コイルスプリング４８のボス部３３に対する位置決め性も向上される。よって、コイルスプリング４８の下端部は、収容部材３０のボス部３３に容易に組み付けられる（嵌められる）。
【００６１】
また、読取装置本体５０が収容部材３０に収容されるときには、読取装置本体５０の各挿入部５４、５５が、収容部材３０の各切欠部４２、４３にほぼ隙間なく挿入される。ここで、読取装置本体５０及び収容部材３０は、ガラス入りの樹脂材で成形されており、剛性（強度）が高い。したがって、各挿入部５４、５５が各切欠部４２、４３に挿入されることにより、収容部材３０に対する読取装置本体５０の左右方向（主走査方向）及び前後方向（長手方向）の位置が精度よく位置決めされる。
【００６２】
こうして、コイルスプリング４８の下端部をボス部３３に組み付けつつ（嵌めつつ）、読取装置本体５０を収容部材３０内に収容したら、係合部７０の爪部７２が、収容部材３０の開口部４４に、その弾性復元力によって挿入される。これにより、読取装置本体５０が収容部材３０に装着される。したがって、例えば画像読取装置１０の製造時に、読取装置本体５０が収容された収容部材３０を落下させても、爪部７２が開口部４４に高さ方向で係合することにより、読取装置本体５０の収容部材３０からの脱落が防止される。
【００６３】
しかも、爪部７２の上面７２Ａは、斜め上方外側へ向かって傾斜する傾斜面とされており、爪部７２の上面７２Ａと対向する開口部４４の上側辺縁部における下面４４Ａも、斜め上方外側へ向かって傾斜する傾斜面とされている。したがって、読取装置本体５０が収容された収容部材３０を落下させたときに、スペーサー６０が前後方向（読取装置本体５０の長手方向）へ傾いても、爪部７２が開口部４４から外れるのが防止される。
【００６４】
また、主走査方向から見て、各スペーサー６０の凸部６６は、各コイルスプリング４８の直上に配置されているため、各コイルスプリング４８の付勢力（弾性復元力）により、上方へ向けて効率よく付勢されて原稿台１４の裏面に接触する。したがって、読取装置本体５０は、各凸部６６により、原稿台１４に対する高さ方向の位置が精度よく位置決めされる。なお、各凸部６６が接触する原稿台１４の裏面の公差（ガラス板の成形上の寸法誤差）を許容するため、爪部７２の上面７２Ａは、開口部４４の上側辺縁部における下面４４Ａに非接触とされる。
【００６５】
以上、説明したように、本実施形態に係る画像読取装置１０では、原稿台１４に対する読取装置本体５０の高さ方向の位置決めを行うスペーサー６０によって、読取装置本体５０の収容部材３０からの脱落が防止される。つまり、読取装置本体５０の原稿台１４に対する位置決めと収容部材３０からの脱落防止とが簡易な構成で実現される。
【００６６】
また、読取装置本体５０の収容部材３０からの脱落を防止するために、例えば弾性変形させる爪部（図示省略）を読取装置本体５０や収容部材３０に形成すると、読取装置本体５０や収容部材３０は、ガラス入りの樹脂材で成形されているため、爪部が弾性変形したときには、その弾性変形量に耐えきれないおそれがある。すなわち、読取装置本体５０や収容部材３０に爪部をきっかけとした割れなどが発生するおそれがある。
【００６７】
しかしながら、本実施形態に係る画像読取装置１０では、読取装置本体５０や収容部材３０ではなく、読取装置本体５０に取り付けられるスペーサー６０に、脱落防止用の爪部７２（係合部７０）を形成したので、読取装置本体５０や収容部材３０に割れなどが発生するおそれがない。
【００６８】
しかも、スペーサー６０は、読取装置本体５０や収容部材３０に比べて小さい部品であるため、成形用の金型を製造し易く、また、爪部７２が破損するなどして交換が必要になった場合でも、容易に交換することが可能となる。よって、本実施形態に係る画像読取装置１０は、コスト的にも有利となる。
【００６９】
以上、本実施形態に係る画像読取装置１０について、図面を基に説明したが、本実施形態に係る画像読取装置１０は、図示のものに限定されるものではなく、本発明の要旨を逸脱しない範囲内において、適宜設計変更可能なものである。例えば、挿入部５４、５５や突起部５６の形状は、図示の形状に限定されるものではない。また、挿入部５４や突起部５６は、前後対称に形成される構成に限定されるものでもない。
【符号の説明】
【００７０】
１０  画像読取装置
１４  原稿台
３０  収容部材
４２  切欠部（被挿入部の一例）
４３  切欠部（被挿入部の一例）
４４  開口部（被係合部の一例）
４４Ａ  下面
４６  リブ（案内部の一例）
４８  コイルスプリング（付勢部材の一例）
５０  読取装置本体
５３  切欠部（被係止部の一例）
５４  挿入部
５５  挿入部
５６  突起部
６０  スペーサー（位置決め部材の一例）
６２  脚部
６３  爪部（係止部の一例）
６６  凸部
７０  係合部
７２  爪部
７２Ａ  上面
【図１】
2015156527.tif 000003
【図２】
2015156527.tif 000004
【図３】
2015156527.tif 000005
【図４】
2015156527.tif 000006
【図５】
2015156527.tif 000007
【図６】
2015156527.tif 000008
【図７】
2015156527.tif 000009
【図８】
2015156527.tif 000010
【図９】
2015156527.tif 000011